(57)【要約】  良好な電池特性を有するリチウムイオン電池用正極活物質を提供する。リチウムイオン電池用正極活物質は、組成式：Ｌｉ（ＬｉxＮｉ1-x-yＭy）Ｏ2+α（前記式において、ＭはＳｃ、Ｔｉ、Ｖ、Ｃｒ、Ｍｎ、Ｆｅ、Ｃｏ、Ｃｕ、Ｚｎ、Ｇａ、Ｇｅ、Ｂｉ、Ｓｎ、Ｍｇ、Ｃａ、Ｂ及びＺｒから選択される１種以上であり、０≦ｘ≦０．１であり、０＜ｙ≦０．７であり、α＞０である。）で表され、一次粒子の粒径が１．６〜２．３μｍであり、２段階中和滴定により測定された粒子表面のアルカリ量が１．２質量％以下であり、該粒子表面のアルカリ量のうち、水酸化リチウムをＡ質量％、炭酸リチウムをＢ質量％とすると、Ａ／Ｂが１以下である。
2012133434.tif 000002
【特許請求の範囲】
【請求項１】
組成式：Ｌｉ（ＬｉxＮｉ1-x-yＭy）Ｏ2+α
（前記式において、ＭはＳｃ、Ｔｉ、Ｖ、Ｃｒ、Ｍｎ、Ｆｅ、Ｃｏ、Ｃｕ、Ｚｎ、Ｇａ、Ｇｅ、Ｂｉ、Ｓｎ、Ｍｇ、Ｃａ、Ｂ及びＺｒから選択される１種以上であり、０≦ｘ≦０．１であり、０＜ｙ≦０．７であり、α＞０である。）
で表され、
一次粒子の粒径が１．６〜２．３μｍであり、
２段階中和滴定により測定された粒子表面のアルカリ量が１．２質量％以下であり、該粒子表面のアルカリ量のうち、水酸化リチウムをＡ質量％、炭酸リチウムをＢ質量％とすると、Ａ／Ｂが１以下であるリチウムイオン電池用正極活物質。
【請求項２】
前記粒子表面のアルカリ量が０．８質量％以下である請求項１に記載のリチウムイオン電池用正極活物質。
【請求項３】
前記Ａ／Ｂが０．７以下である請求項１又は２に記載のリチウムイオン電池用正極活物質。
【請求項４】
前記Ｍが、Ｍｎ及びＣｏから選択される１種以上である請求項１〜３のいずれかに記載のリチウムイオン電池用正極活物質。
【請求項５】
前記組成式において、α＞０．０５である請求項１〜４のいずれかに記載のリチウムイオン電池用正極活物質。
【請求項６】
前記組成式において、α＞０．１である請求項５に記載のリチウムイオン電池用正極活物質。
【請求項７】
請求項１〜６のいずれかに記載のリチウムイオン電池用正極活物質を用いたリチウムイオン電池用正極。
【請求項８】
請求項７に記載のリチウムイオン電池用正極を用いたリチウムイオン電池。
【発明の詳細な説明】
【技術分野】
【０００１】
本発明は、リチウムイオン電池用正極活物質、リチウムイオン電池用正極、及び、リチウムイオン電池に関する。
【背景技術】
【０００２】
リチウムイオン電池の正極活物質には、一般にリチウム含有遷移金属酸化物が用いられている。具体的には、コバルト酸リチウム（ＬｉＣｏＯ2）、ニッケル酸リチウム（ＬｉＮｉＯ2）、マンガン酸リチウム（ＬｉＭｎ2Ｏ4）等であり、特性改善（高容量化、サイクル特性、保存特性、内部抵抗低減、レート特性）や安全性を高めるためにこれらを複合化することが進められている。車載用やロードレベリング用といった大型用途におけるリチウムイオン電池には、これまでの携帯電話用やパソコン用とは異なった特性が求められている。【０００３】
電池特性の改善には、従来、種々の方法が用いられており、例えば特許文献１には、
ＬｉxＮｉ1-yＭyＯ2-δ
（０．８≦ｘ≦１．３、０＜ｙ≦０．５であり、Ｍは、Ｃｏ、Ｍｎ、Ｆｅ、Ｃｒ、Ｖ、Ｔｉ、Ｃｕ、Ａｌ、Ｇａ、Ｂｉ、Ｓｎ、Ｚｎ、Ｍｇ、Ｇｅ、Ｎｂ、Ｔａ、Ｂｅ、Ｂ、Ｃａ、Ｓｃ及びＺｒからなる群から選ばれる少なくとも一種の元素を示し、δは酸素欠損又は酸素過剰量に相当し、−０．１＜δ＜０．１を表す。）の組成で表されるリチウムニッケル複合酸化物を分級機に通し、粒子径の大きい物と小さい物とに平衡分離粒子径Ｄｈ＝１〜１０μｍで分離し、粒子径の大きい物と小さい物を、重量比で０：１００〜１００：０で配合することを特徴とするリチウム二次電池用正極材料の製造方法が開示されている。そして、これによれば、レート特性と容量のさまざまなバランスのリチウム二次電池用正極材料を容易に製造できる、と記載されている。
【先行技術文献】
【特許文献】
【０００４】
【特許文献１】特許第４１７５０２６号公報
【発明の概要】
【発明が解決しようとする課題】
【０００５】
特許文献１に記載のリチウムニッケル複合酸化物は、その組成式中の酸素量が過剰のものであるが、それでもなお高品質のリチウムイオン電池用正極活物質としては改善の余地がある。【０００６】
そこで、本発明は、良好な電池特性を有するリチウムイオン電池用正極活物質を提供することを課題とする。
【課題を解決するための手段】
【０００７】
本発明者は、鋭意検討した結果、正極活物質の酸素量及び一次粒子の粒径と電池特性との間に密接な相関関係があることを見出した。すなわち、正極活物質の酸素量がある値以上とし、正極活物質の一次粒子の粒径を適切な範囲に制御することにより、良好な電池特性が得られることを見出した。
また、正極活物質の粒子表面のアルカリ含有量、及び、該粒子表面のアルカリ量のうち水酸化リチウム量Ａと炭酸リチウム量Ｂとの比と、電池特性との間に密接な相関関係があることを見出した。すなわち、正極活物質の粒子表面のアルカリ含有量がある値以下であるとき、また、該粒子表面のアルカリ量のうち水酸化リチウム量Ａと炭酸リチウム量Ｂとの比Ａ／Ｂがある値以下であるとき、特に良好な電池特性が得られることを見出した。【０００８】
上記知見を基礎にして完成した本発明は一側面において、
組成式：Ｌｉ（ＬｉxＮｉ1-x-yＭy）Ｏ2+α
（前記式において、ＭはＳｃ、Ｔｉ、Ｖ、Ｃｒ、Ｍｎ、Ｆｅ、Ｃｏ、Ｃｕ、Ｚｎ、Ｇａ、Ｇｅ、Ｂｉ、Ｓｎ、Ｍｇ、Ｃａ、Ｂ及びＺｒから選択される１種以上であり、０≦ｘ≦０．１であり、０＜ｙ≦０．７であり、α＞０である。）
で表され、一次粒子の粒径が１．６〜２．３μｍであり、２段階中和滴定により測定された粒子表面のアルカリ量が１．２質量％以下であり、該粒子表面のアルカリ量のうち、水酸化リチウムをＡ質量％、炭酸リチウムをＢ質量％とすると、Ａ／Ｂが１以下であるリチウムイオン電池用正極活物質である。【０００９】
本発明に係るリチウムイオン電池用正極活物質は一実施形態において、２段階中和滴定により測定された粒子表面のアルカリ量が０．８質量％以下である。【００１０】
本発明に係るリチウムイオン電池用正極活物質は別の実施形態において、Ａ／Ｂが０．７以下である。【００１１】
本発明に係るリチウムイオン電池用正極活物質は更に別の実施形態において、Ｍが、Ｍｎ及びＣｏから選択される１種以上である。【００１２】
本発明に係るリチウムイオン電池用正極活物質は更に別の実施形態において、組成式において、α＞０．０５である。【００１３】
本発明に係るリチウムイオン電池用正極活物質は更に別の実施形態において、組成式において、α＞０．１である。【００１４】
本発明は、別の側面において、本発明に係るリチウムイオン電池用正極活物質を用いたリチウムイオン電池用正極である。【００１５】
本発明は、更に別の側面において、本発明に係るリチウムイオン電池用正極を用いたリチウムイオン電池である。
【発明の効果】
【００１６】
本発明によれば、良好な電池特性を有するリチウムイオン電池用正極活物質を提供することができる。
【図面の簡単な説明】
【００１７】
【図１】図１は、正極活物質の一次粒子及び二次粒子の外観写真である。
【発明を実施するための形態】
【００１８】
（リチウムイオン電池用正極活物質の構成）
本発明のリチウムイオン電池用正極活物質の材料としては、一般的なリチウムイオン電池用正極用の正極活物質として有用な化合物を広く用いることができるが、特に、コバルト酸リチウム（ＬｉＣｏＯ2）、ニッケル酸リチウム（ＬｉＮｉＯ2）、マンガン酸リチウム（ＬｉＭｎ2Ｏ4）等のリチウム含有遷移金属酸化物を用いるのが好ましい。このような材料を用いて作製される本発明のリチウムイオン電池用正極活物質は、
組成式：Ｌｉ（ＬｉxＮｉ1-x-yＭy）Ｏ2+α
（前記式において、ＭはＳｃ、Ｔｉ、Ｖ、Ｃｒ、Ｍｎ、Ｆｅ、Ｃｏ、Ｃｕ、Ｚｎ、Ｇａ、Ｇｅ、Ｂｉ、Ｓｎ、Ｍｇ、Ｃａ、Ｂ及びＺｒから選択される１種以上であり、０≦ｘ≦０．１であり、０＜ｙ≦０．７であり、α＞０である。）
で表される。
【００１９】
本発明のリチウムイオン電池用正極活物質は、酸素が組成式において上記のようにＯ2+α（α＞０）と示され、過剰に含まれており、リチウムイオン電池に用いた場合、容量、レート特性及び容量保持率等の電池特性が良好となる。ここで、αについて、好ましくはα＞０．０５であり、より好ましくはα＞０．１である。
【００２０】
リチウムイオン電池用正極活物質は、一次粒子、一次粒子が凝集して形成された二次粒子、又は、一次粒子及び二次粒子の混合物で構成されている（図１参照）。このうち、一次粒子の粒径は１．６〜２．３μｍである。一次粒子の粒径が１．６μｍ未満であると、電池作製の際のプレスによる粒子の割れを引き起こしたり、電池のサイクル時の粒子のクラックによる劣化という問題が生じる。また、一次粒子の粒径が２．３μｍ超えであると、電解液の液枯れや電解液の量を増やすことにより電池劣化という問題が生じる。一次粒子の粒径は、好ましくは１．８〜２．１μｍである。
【００２１】
本発明のリチウムイオン電池用正極活物質は、２段階中和滴定により測定された粒子表面のアルカリ量が１．２質量％以下である。リチウムイオン電池用正極活物質中の粒子表面のアルカリ量が１．２質量％超であると、その正極活物質を用いたリチウムイオン電池は充放電を繰り返すうちに電解液と反応する。また、アルカリ量が多いとガスが発生してしまう。そのため、電池の劣化が起こり、リチウムイオン電池の電池特性、特にサイクル特性が不良となる。２段階中和滴定により測定されるアルカリ量は、好ましくは０．８質量％以下であり、より好ましくは０．６質量％以下である。
【００２２】
本発明のリチウムイオン電池用正極活物質は、粒子表面のアルカリ量のうち、水酸化リチウムをＡ質量％、炭酸リチウムをＢ質量％とすると、Ａ／Ｂが１以下である。リチウムイオン電池用正極活物質に含まれるアルカリには水酸化リチウムと炭酸リチウムとがあり、このうち、炭酸リチウム量に対する水酸化リチウム量の比である前記Ａ／Ｂが１超であると、強アルカリである水酸化リチウムの割合が弱アルカリである炭酸リチウムより多くなるためｐＨ値が高くなり、その正極活物質を用いたリチウムイオン電池の電池特性、特にサイクル特性が不良となる。Ａ／Ｂは、好ましくは０．７以下であり、より好ましくは０．４以下である。
リチウムイオン電池用正極活物質の２段階中和滴定としては常法を用いることができ、また、例えばＪＩＳ  Ｋ１２０１−３−１（中和滴定）で規定されている。具体的には、当該滴定法は、以下のアルカリと酸との反応に基づく。
ＬｉＯＨ＋ＨＣｌ→ＬｉＣｌ＋Ｈ2Ｏ               （１）
Ｌｉ2ＣＯ3＋ＨＣｌ→ＬｉＣｌ＋ＬｉＨＣＯ3        （２）
ＬｉＨＣＯ3＋ＨＣｌ→ＬｉＣｌ＋ＣＯ2＋Ｈ2Ｏ      （３）
従来の指示薬を用いる滴定法では（１）及び（２）の反応においてｐＨ７．８を検出し、当該測定点を第１終点とする。また、（３）の反応においてｐＨ３．９を検出し、当該測定点を第２終点とする。また、ＪＩＳ  Ｋ１２０１−３−２(電位差滴定)の規定に準拠する滴定法では、２箇所の変曲点を検出し、それぞれ第１終点、第２終点とする。そして、それぞれの終点までに用いたＨＣｌ量から水酸化リチウム及び炭酸リチウムの質量％が算出される。
【００２３】
（リチウムイオン電池用正極及びそれを用いたリチウムイオン電池の構成）
本発明の実施形態に係るリチウムイオン電池用正極は、例えば、上述の構成のリチウムイオン電池用正極活物質と、導電助剤と、バインダーとを混合して調製した正極合剤をアルミニウム箔等からなる集電体の片面または両面に設けた構造を有している。また、本発明の実施形態に係るリチウムイオン電池は、このような構成のリチウムイオン電池用正極を備えている。
【００２４】
（リチウムイオン電池用正極活物質の製造方法）
次に、本発明の実施形態に係るリチウムイオン電池用正極活物質の製造方法について詳細に説明する。
まず、金属塩溶液を作製する。当該金属は、Ｎｉ、及び、Ｓｃ、Ｔｉ、Ｖ、Ｃｒ、Ｍｎ、Ｆｅ、Ｃｏ、Ｃｕ、Ｚｎ、Ｇａ、Ｇｅ、Ｂｉ、Ｓｎ、Ｍｇ、Ｃａ、Ｂ及びＺｒから選択される１種以上である。また、金属塩は硫酸塩、塩化物、硝酸塩、酢酸塩等であり、特に硝酸塩が好ましい。これは、焼成原料中に不純物として混入してもそのまま焼成できるため洗浄工程が省けることと、硝酸塩が酸化剤として機能し、焼成原料中の金属の酸化を促進する働きがあるためである。金属塩に含まれる各金属を所望のモル比率となるように調整しておく。これにより、正極活物質中の各金属のモル比率が決定する。
【００２５】
次に、炭酸リチウムを純水に懸濁させ、その後、上記金属の金属塩溶液を投入して金属炭酸塩溶液スラリーを作製する。このとき、スラリー中に微小粒のリチウム含有炭酸塩が析出する。なお、金属塩として硫酸塩や塩化物等熱処理時にそのリチウム化合物が反応しない場合は飽和炭酸リチウム溶液で洗浄した後、濾別する。硝酸塩や酢酸塩のように、そのリチウム化合物が熱処理中にリチウム原料として反応する場合は洗浄せず、そのまま濾別し、乾燥することにより焼成前駆体として用いることができる。
次に、濾別したリチウム含有炭酸塩を乾燥することにより、リチウム塩の複合体（リチウムイオン電池正極材用前駆体）の粉末を得る。
【００２６】
次に、所定の大きさの容量を有する焼成容器を準備し、この焼成容器にリチウムイオン電池正極材用前駆体の粉末を充填する。次に、リチウムイオン電池正極材用前駆体の粉末が充填された焼成容器を、焼成炉へ移設し、焼成を行う。焼成は、酸素雰囲気下で所定時間加熱保持することにより行う。また、１０１〜２０２ＫＰａでの加圧下で焼成を行うと、さらに組成中の酸素量が増加するため、好ましい。
焼成工程における加熱保持温度は、リチウムイオン電池正極材の一次粒子の粒径に影響を与える。本発明では、原料に炭酸リチウムを用いているため、水酸化リチウムを原料として用いる場合に比べて反応性が弱い。従って、高温で長時間の焼成が必要となるが、この高温且つ長時間の焼成によって粒子の結晶性が向上し正極材の一次粒子の粒径が大きくなる。本発明では、原料に炭酸リチウムを用いて、７５０℃以上で１２時間以上の焼成を行うことで、一次粒子の粒径を１．６〜２．３μｍに制御している。これに対し、水酸化リチウムを原料とする場合、通常、反応性が高いために焼成温度は低下し、焼成時間は少なくなるため、生成する一次粒子の粒径は０．５μｍ程度と小さくなってしまう。
その後、焼成容器から粉末を取り出し、市販の解砕装置等を用いて解砕を行うことにより正極活物質の粉体を得る。このときの解砕は、微粉がなるべく生じないように、適宜解砕強度及び解砕時間を調整して行う。具体的には、当該解砕により、解砕後の粒径６μｍ以下の微粉の体積％が４．０〜７．０％、好ましくは４．３〜６．９％となるように調整する。
このように解砕時の微粉の発生を制御することにより、体積当たりの粉末の表面積が減少するため、粒子表面の水酸化リチウム量を抑制することができる。
また、炭酸リチウムは水分があるような場所では、水酸化リチウムに変わってしまうため、解砕を乾燥空気雰囲気下で行うことで、水分を取り込まないように制御する。
【実施例】
【００２７】
以下、本発明及びその利点をより良く理解するための実施例を提供するが、本発明はこれらの実施例に限られるものではない。【００２８】
（実施例１〜１５）
まず、表１に記載の投入量の炭酸リチウムを純水３．２リットルに懸濁させた後、金属塩溶液を４．８リットル投入した。ここで、金属塩溶液は、各金属の硝酸塩の水和物を、各金属が表１に記載の組成比になるように調整し、また全金属モル数が１４モルになるように調整した。
なお、炭酸リチウムの懸濁量は、製品（リチウムイオン二次電池正極材料、すなわち正極活物質）をＬｉ（ＬｉxＮｉ1-x-yＭy）Ｏ2+αでｘが表１の値となる量であって、それぞれ次式で算出されたものである。
Ｗ（ｇ）＝７３．９×１４×（１＋０．５{（１＋Ｘ）/（１−Ｘ）}×Ａ
上記式において、「Ａ」は、析出反応として必要な量の他に、ろ過後の原料に残留する炭酸リチウム以外のリチウム化合物によるリチウムの量をあらかじめ懸濁量から引いておくために掛ける数値である。「Ａ」は、硝酸塩や酢酸塩のように、リチウム塩が焼成原料として反応する場合は０．９であり、硫酸塩や塩化物のように、リチウム塩が焼成原料として反応しない場合は１．０である。
この処理により溶液中に微小粒のリチウム含有炭酸塩が析出したが、この析出物を、フィルタープレスを使用して濾別した。
続いて、析出物を乾燥してリチウム含有炭酸塩（リチウムイオン電池正極材用前駆体）を得た。
次に、焼成容器を準備し、この焼成容器内にリチウム含有炭酸塩を充填した。次に、焼成容器を、大気圧下、酸素雰囲気炉に入れて、表１に記載の焼成温度で１０時間加熱保持した後冷却して酸化物を得た。
次に、小型粉砕機（ホソカワミクロン  ＡＣＭ−２ＥＣ）を用いて、所定の粒径の微粉が所定の粒度分布の分布幅となるように、得られた酸化物を解砕し、リチウムイオン二次電池正極材の粉末を得た。【００２９】
（実施例１６）
実施例１６として、実施例１６として、原料の各金属を表１に示すような組成とし、金属塩を塩化物とし、リチウム含有炭酸塩を析出させた後、飽和炭酸リチウム溶液で洗浄し、濾過する以外は、実施例１〜１５と同様の処理を行った。【００３０】
（実施例１７）
実施例１７として、原料の各金属を表１に示すような組成とし、金属塩を硫酸塩とし、リチウム含有炭酸塩を析出させた後、飽和炭酸リチウム溶液で洗浄し、濾過する以外は、実施例１〜１５と同様の処理を行った。【００３１】
（実施例１８）
実施例１８として、原料の各金属を表１に示すような組成とし、焼成を大気圧下ではなく１２０ＫＰａの加圧下で行った以外は、実施例１〜１５と同様の処理を行った。【００３２】
（実施例１９）
実施例１９として、原料の各金属を表１に示すような組成とし、金属塩を硝酸塩とし、リチウム含有炭酸塩を析出させた後、飽和炭酸リチウム溶液で洗浄し、濾過する以外は、実施例１〜１５と同様の処理を行った。【００３３】
（比較例１〜３）
比較例１として、原料の各金属を表１に示すような組成とし、最後の酸化物の解砕について実施例１〜１５のような調整を行わない以外は、実施例１〜１５と同様の処理を行った。【００３４】
（比較例４〜６）
比較例４〜６として、原料の各金属を表１に示すような組成とし、酸素雰囲気炉ではなく空気雰囲気炉で焼成工程を行った点以外は、比較例１と同様の処理を行った。【００３５】
（評価）
−正極材組成の評価−
各正極材中の金属含有量は、誘導結合プラズマ発光分光分析装置（ＩＣＰ−ＯＥＳ）で測定し、各金属の組成比（モル比）を算出した。また、酸素含有量はＬＥＣＯ法で測定しαを算出した。これらの結果が表１に記載の通りであることを確認した。【００３６】
−一次粒子の粒径の評価−
各正極材の粉末を採取し、一次粒子の粒径をレーザー回折粒度分布測定機（マイクロトラックＭＴ３３００ＥＸ II）によって測定した。【００３７】
−アルカリ量の評価−
正極材中のアルカリ量は、２段階中和滴定法により測定した。具体的には、各正極材の粉末を１ｇ採取し、５０ｍＬの純水に加えて１０分間撹拌した後、ろ過を行った。続いて、マクロピペットを用いて、ろ液１０ｍＬと純水１５ｍＬとを５０ｍＬのトールビーカーに入れた。続いて、指示薬としてフェノールフタレインを加えたビーカーに撹拌子を入れてスターラーに乗せ、ビーカー内に電極をセットした。次に、ビーカー内の溶液を撹拌させながら、０．０１ＮのＨＣｌを滴下した。
ここで、２段階中和滴定法は、以下のアルカリと酸との反応に基づく。
ＬｉＯＨ＋ＨＣｌ→ＬｉＣｌ＋Ｈ2Ｏ               （１）
Ｌｉ2ＣＯ3＋ＨＣｌ→ＬｉＣｌ＋ＬｉＨＣＯ3        （２）
ＬｉＨＣＯ3＋ＨＣｌ→ＬｉＣｌ＋ＣＯ2＋Ｈ2Ｏ      （３）
（１）及び（２）の反応においてｐＨ７．８を検出し、当該測定点を第１終点とした。また、（３）の反応においてｐＨ３．９を検出し、当該測定点を第２終点とした。そして、第１の終点までに用いたＨＣｌ量をｘ（ｍＬ）とし、第２終点までに用いたＨＣｌ量をｙ（ｍＬ）として、Ｌｉ2ＣＯ3量を（ｙ−ｘ）×０．３６９質量％、ＬｉＯＨ量を（２ｘ−ｙ）×０．１２質量％により求めた。
また、算出したＬｉＯＨ量とＬｉ2ＣＯ3量とから、それらの比（ＬｉＯＨ量／Ｌｉ2ＣＯ3量）を求めた。
なお、上記Ｌｉ2ＣＯ3量に係る計算式：（ｙ−ｘ）×０．３６９質量％、及び、ＬｉＯＨ量に係る計算式：（２ｘ−ｙ）×０．１２質量％は、以下の式から導かれたものである。
・上記（３）式のＨＣｌのモル数は以下の式で求められる。
（ｙ−ｘ）×１／１０００×０．０１ｍｏｌ／Ｌ＝１０-5×（ｙ−ｘ）ｍｏｌ
・上記（２）のＬｉ2ＣＯ3のモル数は上記ＨＣｌのモル数と同じであり、Ｌｉ2ＣＯ3の分子量が７３．８９であり、滴定には５０ｍＬのうちの１０ｍＬ使用し、元の正極材の投入量が１ｇであることから、Ｌｉ2ＣＯ3量は以下の式で求められる。
７３．８９ｇ／ｍｏｌ×１０-5×（ｙ−ｘ）ｍｏｌ×（５０ｍＬ／１０ｍＬ）÷１ｇ×１００％＝（ｙ−ｘ）×０．３６９質量％
・上記（１）のＬｉＯＨのモル数は以下の式で求められる。
ｘ×１／１０００×０．０１ｍｏｌ／Ｌ-１０-5×（ｙ−ｘ）ｍｏｌ＝１０-5×（２ｘ−ｙ）ｍｏｌ
・ＬｉＯＨの分子量が２３．９５であり、滴定には５０ｍＬのうちの１０ｍＬ使用し、元の正極材の投入量が１ｇであることから、ＬｉＯＨ量は以下の式で求められる。
２３．９５ｇ／ｍｏｌ×１０-5×（２ｘ−ｙ）ｍｏｌ×（５０ｍＬ／１０ｍＬ）÷１ｇ×１００％＝（２ｘ−ｙ）×０．１２質量％【００３８】
−電池特性の評価−
各正極材と、導電材と、バインダーとを８５：８：７の割合で秤量し、バインダーを有機溶媒（Ｎ−メチルピロリドン）に溶解したものに、正極材料と導電材とを混合してスラリー化し、Ａｌ箔上に塗布して乾燥後にプレスして正極とした。続いて、対極をＬｉとした評価用の２０３２型コインセルを作製し、電解液に１Ｍ−ＬｉＰＦ6をＥＣ−ＤＭＣ（１：１）に溶解したものを用いて、電流密度０．２Ｃの際の放電容量を測定した。また電流密度０．２Ｃのときの電池容量に対する電流密度２Ｃのときの、放電容量の比を算出してレート特性を得た。さらに、容量保持率は、室温で１Ｃの放電電流で得られた初期放電容量と１００サイクル後の放電容量を比較することによって測定した。
これらの結果を表１及び２に示す。【００３９】
【表１】
2012133434.tif 000003
【００４０】
【表２】
2012133434.tif 000004
【００４１】
（評価）
実施例１〜１９は、いずれも電池特性が良好であった。また、原料の金属塩を硝酸塩とした実施例１〜１５、１８は特に電池特性が良好であった。さらに、焼成を大気圧下ではなく加圧下で行った実施例１８は最も電池特性が良好であった。
比較例１〜３は、原料とした金属の組成は本発明と同様に酸素が過剰に含まれているものであったが、解砕条件が原因で、電池特性が不良であった。比較例４〜６は、原料とした金属の組成が本発明の範囲外のものであり、さらに解砕条件が原因で、電池特性が不良であった。
【図１】
2012133434.tif 000005
【手続補正書】
【提出日】平成25年5月22日(2013.5.22)
【手続補正１】
【補正対象書類名】明細書
【補正対象項目名】００２８
【補正方法】変更
【補正の内容】
【００２８】
（実施例１〜１５）
まず、表１に記載の投入量の炭酸リチウムを純水３．２リットルに懸濁させた後、金属塩溶液を４．８リットル投入した。ここで、金属塩溶液は、各金属の硝酸塩の水和物を、各金属が表１に記載の組成比になるように調整し、また全金属モル数が１４モルになるように調整した。
この処理により溶液中に微小粒のリチウム含有炭酸塩が析出したが、この析出物を、フィルタープレスを使用して濾別した。
続いて、析出物を乾燥してリチウム含有炭酸塩（リチウムイオン電池正極材用前駆体）を得た。
次に、焼成容器を準備し、この焼成容器内にリチウム含有炭酸塩を充填した。次に、焼成容器を、大気圧下、酸素雰囲気炉に入れて、表１に記載の焼成温度で１０時間加熱保持した後冷却して酸化物を得た。
次に、小型粉砕機（ホソカワミクロン  ＡＣＭ−２ＥＣ）を用いて、所定の粒径の微粉が所定の粒度分布の分布幅となるように、得られた酸化物を解砕し、リチウムイオン二次電池正極材の粉末を得た。
【国際調査報告】
2012133434.tif 000006
2012133434.tif 000007
2012133434.tif 000008
2012133434.tif 000009